(57)【要約】 【課題】スペースがない場所でもパネルの実組の動きに連動してパネル間の電気接続を自動的に施工することができる電気床暖房パネルを提供することを目的とする。【解決手段】隣接するパネル本体１１の相対する凸部７と凹部８とを近接することでプラグ３とソケット４が相互接続するように、前記ソケット収納凹所４ａの拡張部１２と前記プラグ収納凹所３ａの少なくともどちらか一方は当該のコネクタの一部分１３がパネル本体１１より突出する深さに形成されている。  前記ソケット収納凹所４ａ（拡張部１２を除く）の深さＵは、前記一対のパネル本体１１が実組した状態で、接続した前記プラグ３とソケットが４パネル本体１１内に収納される深さである。接続するプラグ３とソケット４は、パネル５Ｄの動作によって自動的に接続するとともに、ソケット収納凹所４ａに自動的に収納することができる。【選択図】  図２
2006234234.tif 000002
【特許請求の範囲】
【請求項１】
矩形形状のパネル本体にヒータを内蔵し、このヒータと接続する端子として、一対のパネル本体の対向する短辺に互いに接続可能な第１のコネクタと第２のコネクタとをそれぞれ備え、且つパネル本体の隣接する長辺と短辺に凸部が形成され、他の隣接する長辺と短辺に凹部が形成された構造を有する電気床暖房パネルの結線構造であって、
前記一対のパネル本体には前記第１のコネクタを収容する第１コネクタ収容凹所と前記第２のコネクタを収容する第２コネクタ収容凹所とがそれぞれ設けられ、
前記第２コネクタ収納凹所はその短辺方向の幅を前記第２のコネクタの幅よりも前記凸部の幅以下の幅に拡張する拡張部を備え、
前記第２コネクタ収納凹所の拡張部と前記第１コネクタ収容凹所の少なくともどちらか一方は当該のコネクタの一部分がパネル本体より突出する深さに形成されることを特徴とする電気床暖房パネルの結線構造。
【請求項２】
請求項１記載の電気床暖房パネルの結線構造であって、前記第２コネクタ収納凹所（拡張部を除く）の深さは、前記一対のパネル本体が実組した状態で、接続した前記第１のコネクタと第２のコネクタがパネル本体内に収納される深さに形成されることを特徴とする一対の電気床暖房パネルの結線構造。
【請求項３】
矩形形状のパネル本体にヒータを内蔵し、このヒータと接続する端子として、一対のパネル本体の対向する短辺に互いに接続可能な第１のコネクタと第２のコネクタとをそれぞれ備え、且つパネル本体の隣接する長辺と短辺に凸部が形成され、他の隣接する長辺と短辺に凹部が形成された構造を有する電気床暖房パネルの結線方法であって、
前記一対のパネル本体には前記第１のコネクタを収容する第１コネクタ収容凹所と前記第２のコネクタを収容する第２コネクタ収容凹所とがそれぞれ設けられ、前記第２コネクタ収納凹所はその短辺方向の幅を前記第２のコネクタの幅よりも前記凸部の幅以下の幅に拡張する拡張部を備え、
この第２コネクタ収納凹所の拡張部と前記第１コネクタ収容凹所の少なくともどちらか一方は当該のコネクタの一部分が前記パネル本体より突出する深さに形成し、  
長辺方向に隣接する前記パネル本体の相対する凸部と凹部とを近接することで第１のコネクタと第２のコネクタが相互接続され、
さらに、前記第１のコネクタが設けられた前記電気床暖房パネルを前記凸部の幅分だけ短辺方向に移動したのちに隣接する前記電気床暖房パネルと実組することにより、接続した前記第１のコネクタと第２のコネクタが前記第２コネクタ収納凹所（拡張部を除く）に収容されることを特徴とする電気床暖房パネルの結線方法。
【発明の詳細な説明】
【技術分野】
【０００１】
本発明は、床材一体型の電気床暖房パネルに関し、詳しくは、電気床暖房パネルの実組による組付け施工と同時に自動的に各電気床暖房パネル間の結線がされる電気床暖房パネルの結線構造と結線方法に関する。
【背景技術】
【０００２】
従来、ヒータを内蔵した電気床暖房パネルを複数枚接続して床張り施工する床暖房システムが知られている。電気床暖房パネル（以下、適宜にパネルという）は、例えば、表面化粧を施した表層材と、断熱性に優れた基材合板とからなるパネル本体の内部に、電熱式のヒータが内蔵される。そして、各々のヒータに電源を供給するために、隣接するパネル間を一対のコネクタ（プラグとソケット）で結線する構造となっている。このような結線構造に関連する従来技術としては、例えば特許文献１及び２に示すような内容が知られている。
【特許文献２】実開平６−２２８２３号公報
【特許文献１】特開平１１−１５２８８８号公報
【発明の開示】
【発明が解決しようとする課題】
【０００３】
矩形形状のパネル間における電源配線の結線（接続）方式としては、パネルの短辺と短辺で接続する方式や、長辺と長辺で接続する方式のほか、両方を適宜組み合わせた方式がある。
【０００４】
図８に示すように、短辺で接続する方式では、対向するパネル５の短辺１のそれぞれのプラグ収納凹所３ａ、ソケット収納凹所４ａにプラグ３とソケット４が設けられている。そして、パネル５の床張り施工時には、それぞれのプラグ収容凹所３ａ、ソケット収容凹所４ａからプラグ３とソケット４を引き出して（矢印Ｐ方向）接続した後に、接続した状態のプラグ３とソケット４をそれぞれのプラグ収容凹所３ａ、ソケット収容凹所４ａ内に再度収納（矢印Ｐと逆方向）するとともにパネル５を矢印Ｑ方向に移動することでそれぞれの短辺１が当接させていた。
【０００５】
このとき、プラグ３とソケット４を接続する際にプラグ３とソケット４はそれぞれ自由に動くので、プラグ３とソケット４の各々を確実に保持する必要があるので強く掴む力が必要であった。
【０００６】
また、パネルからプラグ３とソケット４を大きく引き出す必要があるので、プラグ収納凹所３ａ、ソケット収納凹所４ａ内に配線コード１６の余長を収納しておく領域を広く確保する必要があった。さらに、プラグ３とソケット４の接続前後にパネルを大きくずらすスペースが必要であった。
【０００７】
ところが、図９に示すように、部屋の壁際９に隣接した場所で、２枚のパネル５Ａ、５Ｂを施工したのちに、パネル５Ｂに隣接してパネル５Ｃを施工し、さらにパネル５Ｄをパネル５Ａとパネル５Ｃに実組により接続施工する場合がある。
【０００８】
この場合、まず、パネル５Ｄを施工済みのパネル５Ａおよびパネル５Ｃに近接した位置に置き、それぞれのパネルのプラグ収容凹所３ａ、ソケット収容凹所４ａからプラグ３とソケットとを引き出して接続する。次に、パネル５Ｄを施工済みのパネル５Ａに寄せて、それぞれの相対する長辺６を実組により接続する。続いて、パネル５Ｄをパネル５Ｃに寄せることでそれぞれの相対する短辺１が実組により接続する。このパネル５Ｄの動作過程に連携してプラグ３とソケット４はそれぞれパネル内部のプラグ収容凹所３ａ、ソケット収容凹所４ａ内に収納される。
【０００９】
ここで、各パネル５の構造は、図１０に示すように、パネル５の隣接する長辺６と短辺１にはそれぞれ凸部７が形成され、また他の隣接する長辺６と短辺１にはそれぞれ凹部８が形成されている。つまり、パネルの４辺を１周すると凸部７、凸部７、凹部８、凹部８の順番に形成される。そして、隣接する他のパネルの相対する凸部７と凹部８とを実組することで相互に接続する構造となっている。
【００１０】
そのため、図９に示すようなパネル間の電源配線の接続に関しては、パネル５Ｄを長辺方向にずらしてプラグ３とソケット４を接続しパネル内部のそれぞれのプラグ収容凹所３ａ、ソケット収容凹所４ａ内に収納するのに必要な差し込み代Ｒ１が十分確保できないため、電源配線の接続が困難であるという問題があった。
【００１１】
そこで、本発明は、上記従来の問題点を解消して、パネル間の電源配線を接続する場合に、例えば壁際等の十分にスペースがない場所でもパネルの実組の動きに連動してパネル間の電源配線を自動的に施工することができる電気床暖房パネルを提供することを目的とする。
【課題を解決するための手段】
【００１２】
請求項１の発明は、矩形形状のパネル本体にヒータを内蔵し、このヒータと接続する端子として、一対のパネル本体の対向する短辺に互いに接続可能な第１のコネクタと第２のコネクタとをそれぞれ備え、且つパネル本体の隣接する長辺と短辺に凸部が形成され、他の隣接する長辺と短辺に凹部が形成された構造を有する電気床暖房パネルの結線構造であって、前記一対のパネル本体には前記第１のコネクタを収容する第１コネクタ収容凹所と前記第２のコネクタを収容する第２コネクタ収容凹所とがそれぞれ設けられ、前記第２コネクタ収納凹所はその短辺方向の幅を前記第２のコネクタの幅よりも前記凸部の幅以下の幅に拡張する拡張部を備え、前記第２コネクタ収納凹所の拡張部と前記第１コネクタ収容凹所の少なくともどちらか一方は当該のコネクタの一部分がパネル本体より突出する深さに形成されることを特徴としている。
【００１３】
この電気床暖房パネルの結線構造であれば、第２コネクタ収納凹所の拡張部と前記第１コネクタ収容凹所の少なくともどちらか一方の当該コネクタの一部分がパネル本体より突出して取付けられる。
【００１４】
前記第２コネクタ収納凹所はその短辺方向の幅を前記第２のコネクタの幅よりも前記凸部の幅以下の幅に拡張する拡張部を備えている。
【００１５】
請求項２の発明は、請求項１記載の電気床暖房パネルの結線構造であって、前記第２コネクタ収納凹所（拡張部を除く）の深さは、前記一対のパネル本体が実組した状態で、接続した前記第１のコネクタと第２のコネクタがパネル本体内に収納される深さに形成されることを特徴としている。
【００１６】
この電気床暖房パネルの結線構造であれば、接続した前記第１のコネクタと第２のコネクタがパネル本体内に収納されるので、前記第１のコネクタと第２のコネクタのパネル本体より突出する当該部分を前記第２コネクタ収納凹所に収納することができる。
【００１７】
請求項３の発明は、矩形形状のパネル本体にヒータを内蔵し、このヒータと接続する端子として、一対のパネル本体の対向する短辺に互いに接続可能な第１のコネクタと第２のコネクタとをそれぞれ備え、且つパネル本体の隣接する長辺と短辺に凸部が形成され、他の隣接する長辺と短辺に凹部が形成された構造を有する電気床暖房パネルの結線方法であって、
前記一対のパネル本体には前記第１のコネクタを収容する第１コネクタ収容凹所と前記第２のコネクタを収容する第２コネクタ収容凹所とがそれぞれ設けられ、前記第２コネクタ収納凹所はその短辺方向の幅を前記第２のコネクタの幅よりも前記凸部の幅以下の幅に拡張する拡張部を備え、この第２コネクタ収納凹所の拡張部と前記第１コネクタ収容凹所の少なくともどちらか一方は当該のコネクタの一部分が前記パネル本体より突出する深さに形成し、  
長辺方向に隣接する前記パネル本体の相対する凸部と凹部とを近接することで第１のコネクタと第２のコネクタが相互接続され、
さらに、前記第１のコネクタが設けられた前記電気床暖房パネルを前記凸部の幅分だけ短辺方向に移動したのちに隣接する前記電気床暖房パネルと実組することにより、接続した前記第１のコネクタと第２のコネクタが前記第２コネクタ収納凹所（拡張部を除く）に収容されることを特徴としている。
【発明の効果】
【００１８】
請求項１記載の発明によれば、少なくともどちらか一方の当該コネクタの一部分がパネル本体より突出して取付けられるので、前記第１のコネクタと第２のコネクタをパネル本体に収納した状態のままで、隣接する電気床暖房パネルの短辺を近接させるだけで前記第１のコネクタと第２のコネクタを自動的に接続することができる。そして、隣接する電気床暖房パネル間に広い差し込み代を確保する必要がない。
【００１９】
前記第２コネクタ収納凹所はその短辺方向の幅を前記第２のコネクタの幅よりも前記凸部の幅以下の幅に拡張する拡張部を備えているので、第1の前記電気床暖房パネルを短辺方向に前記凸部の幅分だけスライドさせることで、接続した前記第１のコネクタと第２のコネクタを前記第２コネクタ収納凹所（拡張部を除く）の位置まで自動的に移動できる。
【００２０】
請求項２記載の発明によれば、第1の前記電気床暖房パネルを長辺方向にスライドして第２の前記電気床暖房パネルと実組すると、接続した前記第１のコネクタと第２のコネクタはコネクタ収容凹所に自動的に収納することができる。
【００２１】
請求項３記載の発明によれば、上記請求項１及び請求項２の発明の効果と同じ効果が得られる。
【発明を実施するための最良の形態】
【００２２】
＜第1の実施形態＞
＜電気床暖房パネルの結線構造の構成＞  
以下に、本発明の第1の実施形態を図１〜図５に基づいて説明するが、先に説明した図９と同様に、３枚のパネル５Ａ、５Ｂ、５Ｃが既に施工済みの状態で、さらにパネル５Ｄをパネル５Ａと５Ｃに実組により接続して施工する場合について説明する。なお、図８〜図１０に示した構成と同等部分には適宜に同一符号を付して説明する。内蔵するヒータ、接着剤の塗布や釘打ち等については説明を省略する。
【００２３】
図１（ａ）、（ｂ）、図２に示すように、本発明の４枚の電気床暖房パネル５（５Ａ、５Ｂ、５Ｃ、５Ｄ）の結線構造は、部屋の壁際９に隣接した場所で、矩形形状のパネル本体１１に図示しないヒータを内蔵し、このヒータの配線コード１６と接続（結線）する端子として、一対のパネル５Ｃ、５Ｄのパネル本体１１の対向する短辺１に互いに接続可能な第１のコネクタとしてのプラグ３（接続端子１５付）と第２のコネクタとしてのソケット４とをそれぞれ備える。
【００２４】
ここで、一対のパネル５Ａ、５Ｂの図示しないプラグ、ソケットは既に接続するとともにパネル５Ａ、５Ｂは実組されている。矩形形状のパネル本体１１の隣接する長辺６と短辺１に凸部（雄実）７が形成され、他の隣接する長辺６と短辺１に凹部（雌実）８が形成され、この凸部（雄実）７と凹部（雌実）８によって実組される。
【００２５】
さらに、前記パネル本体１１には前記プラグ３用のプラグ収納凹所３ａとソケット４用のソケット収納凹所４ａがそれぞれ設けられ、ソケット収納凹所４ａはその短辺１方向の幅を前記ソケット４の幅Ｓ２よりも前記凸部７の幅Ｓ以下の幅Ｓ１に拡張する拡張部１２を備えている。
【００２６】
このように、一対のパネル５Ｃ、５Ｄが実組する前の前記プラグ３とソケット４が対向する状態では、パネル５Ｄの凹部８が設けられた長辺側面６ａとパネル５Ａの長辺側面６ｂに設けられた凸部７の先端部７ａとが平面視で重なる位置関係に配置される。
【００２７】
そして、前記ソケット収納凹所４ａの拡張部１２と前記プラグ収納凹所３ａの少なくともどちらか一方は当該のコネクタの一部分１３がパネル本体１１より突出する深さに形成される。（本実施例では両方突出している。）
このため、長辺方向に隣接するパネル本体１１の相対する凸部７と凹部８とを近接（実組直前の状態）することによりプラグ３とソケット４が自動的に当接して接続することができる。
【００２８】
いま、プラグ収納凹所３ａは深さＴ１でソケット収納凹所４ａの拡張部１２は深さＴ２である。
【００２９】
そして、前記ソケット収納凹所４ａ（拡張部１２を除く）の深さＵは、前記一対のパネル本体１１が実組した状態で、接続した前記プラグ３とソケット４がパネル５Ｃとパネル５Ｄ双方のパネル本体１１内に収納することができるように構成されている。そのため、前記プラグ３の突出長さＴ３（接続端子１５は突出長さＴ５）、ソケット４の突出長さＴ４とすると、ソケット収納凹所４ａの深さＵ＝Ｔ２＋（Ｔ３＋Ｔ４）で決定される。
【００３０】
このように、ソケット収納凹所４ａとその拡張部１２は幅Ｓ２、深さＵの矩形形状の凹部と幅Ｓ１、深さ、Ｔ２の矩形形状の凹部が連通する凹状形状である。なお、たとえば、凸部７の幅Ｓ  （平面的な突出長さ）の実寸法を５ｍｍとすると、拡張部１２の拡張した寸法Ｓ１も５ｍｍである。
【００３１】
＜電気床暖房パネルの結線構造の作用＞
（第1ステップ）
図３に示すように、図２の状態のパネル５Ｄをパネル５Ａと平行に移動してパネル５Ｃに実組直前の状態まで寄せると、パネル５Ｄとパネル５Ｃは実組しないがプラグ３とソケット４がそれぞれのパネルから突出しているのでプラグ３とソケット４は自動的に接続する。このとき、ソケット４は拡張部１２の底１２ａに支えられるので、プラグ３とソケット４は確実に接続できる。
【００３２】
（第２ステップ）
図４に示すように、パネル５Ｄをパネル５Ｃと平行にパネル５Ａに寄せることで、パネル５Ｄとパネル５Ａは実組する。（パネル５Ｄの凹部６ｃにパネル５Ａの長辺側面６ｂに設けられた凸部７が収まる。）
このとき、プラグ３とソケット４はその接続状態を保ったままプラグ収納凹所３ａに保持されながらソケット収納凹所４ａの領域に前記凸部７の幅Ｓだけ自動的に移動する。
【００３３】
このとき、上述のように、ソケット収納凹所４ａの拡張部１２は前記凸部７の幅Ｓ以下の幅Ｓ１であるので、接続したプラグ３とソケット４が前記凸部７の幅Ｓだけ移動すると拡張部１２の底１２ａから離れた状態になる。（今、幅Ｓ＝５ｍｍ、幅Ｓ１＝５ｍｍなので、丁度離れた状態である。）
（第３ステップ）
図５に示すように、パネル５Ｄをパネル５Ｃに寄せて当接させる。これにより、パネル５Ｄの凸部７がパネル５Ｃの凹部８に収まりパネル５Ｄとパネル５Ｃが実組する。このとき、既にパネル５Ｄはパネル５Ａと実組しているのでパネル５Ｄはパネル５Ａに沿わせて容易に平行移動できる。このパネルの移動に合わせて、接続したプラグ３とソケット４は接続状態を保ったまま、プラグ収納凹所３ａに保持されながらソケット収納凹所４ａの領域に（一部はプラグ収納凹所３ａ内に保持されたままである）自動的に収納される。なお、配線コード１６も同様にソケット収納凹所４ａの底面からプラグ３とソケット４の動きに連動してパネル５Ｃ内部に移動する。
【００３４】
この結果、パネル５Ｄはパネル５Ａおよびパネル５Ｃとそれぞれ実組により接続され、壁際９際におけるパネル５Ｄの施工が完了する。なお、全パネルの施工後に、壁際９と各パネルとの隙間には図示しない巾木を取付けることによりその隙間を埋めることができる。
【００３５】
上述のように、本実施例の電気床暖房パネル５は、パネル５Ｄをパネル５Ｃに実組する際に、パネル５Ｃとパネル５Ｄの長辺方向に、壁際９から必要な差し込み代Ｒ１＝Ｔ３＋Ｔ５＋Ｔ４の隙間があれば、パネル５Ｄをパネル５Ｃに実組できる。
【００３６】
また、ソケット収納凹所４ａの幅を、少なくともパネル本体１１の凸部７の幅Ｓ分だけ拡張したので、接続したプラグ３とソケット４は接続状態を保ったまま、隣接するパネル５Ａの位置まで寄せることができる。このため、壁際９に凸部の幅Ｓと同じ隙間Ｒ２があれば、パネル５Ｄをパネル５Ａに実組できる。
【００３７】
このように、パネルが例えば壁際９等十分なスペースがない場所でも最小隙間（隙間Ｒ１、隙間Ｒ２）があれば容易に実組施工することができ、パネル５Ｄのステップ１〜３の実組施工動作によってプラグ３とソケット４は自動的に接続できるとともに、ソケット収納凹所４ａ（一部はプラグ収納凹所３ａ内）に自動的に収納することができる。
【００３８】
そのため、プラグ３とソケット４を強い力で保持する接続作業が不要である。また、プラグ３とソケット４間の接続及びパネルの実組施工が必要であった従来の２度手間を省くことができる。
【００３９】
さらに、プラグ３とソケット４の配線コード１６の引き出し代が殆どいらなくなるので、パネル内の余長吸収スペースが不要になりプラグ収納凹所３ａ、ソケット収納凹所４ａを最小スペース化できる。そのため、たとえば重量物のキャスター等が集中加重としてパネル上部から掛かったときの耐加重性を向上させることができる。
【００４０】
＜第２の実施形態＞
以下に、本発明の第２の実施形態を図６、図７に基づいて説明する。なお、図２、図３に示した構成と同等部分には同一符号を付してその説明を省略する。
【００４１】
図６、図７に示すように、プラグ３は突出長さＴ３（接続端子１５は突出長さＴ５）で突出するがソケット４は突出しない状態である。
【００４２】
ここで、プラグ収納凹所３ａは深さＴ１でソケット収納凹所４ａの拡張部１２は深さＴ６である。また、前記ソケット収納凹所４ａ（拡張部１２を除く）の深さＵは、前記一対のパネル本体１１が実組した状態で、接続した前記プラグ３とソケット４がパネル本体１１内に収納される深さである。そして、前記プラグ３は突出長さＴ３でソケット４は全長Ｔ６（拡張部１２の深さＴ６と同じ）なので、深さＵ＝Ｔ３＋Ｔ６の関係である。
【００４３】
このため、プラグ３とソケット４は、パネル５Ｄを図４、図５で述べた動作と同様に動作することによって、自動的に接続するとともにソケット収納凹所４ａ（一部はプラグ収納凹所３ａ）内に自動的に収納することができる。
【００４４】
以上、本発明の実施形態を図面に基づいて説明したが、上記の実施例はいずれも本発明の一例を示したものであり、本発明はこれらに限定されるべきでないということはいうまでもない。
【００４５】
上記実施例では、ソケット収納凹所４ａの幅を拡張する例について説明したが、ソケット収納凹所４ａの幅を変える代わりに、プラグ収納凹所３ａの幅を拡張するように構成することもできる。
【００４６】
実施例では、パネル５Ｄの長辺６の凸部７と短辺１の凹部８が壁際９に近接する場合の説明をしたが、パネル５Ｄの長辺６の凹部８と短辺１の凸部７が壁際９に近接する構成でも同様の効果を得ることができる。
【図面の簡単な説明】
【００４７】
【図１】本発明の第1の実施形態における、（ａ）は電気床暖房パネルの結線構造を示す斜視図、（ｂ）は壁際において電気床暖房パネルが短辺で接続して実組施工される状態を示す平面図である。
【図２】本発明の第1の実施形態における、電気床暖房パネルのプラグとソケットが対向する位置に近づいた状態を示す平面図である。
【図３】本発明の第1の実施形態における、電気床暖房パネルのプラグとソケットが相互接続した状態を示す平面図である。（第1ステップ）
【図４】図３の状態から、第1の電気床暖房パネルを第２の電気床暖房パネル位置まで平行にずらした状態を示す平面図である。（第２ステップ）
【図５】図４の状態から第1の電気床暖房パネルをずらして第２の電気床暖房パネルに当接させた状態を示す平面図である。（第３ステップ）
【図６】本発明の第２の実施形態における、電気床暖房パネルのプラグとソケットが対向する位置に近づいた状態を示す平面図である。
【図７】本発明の第1の実施形態における、電気床暖房パネルのプラグとソケットが相互接続した状態を示す平面図である。
【図８】従来の、電気床暖房パネルのプラグとソケットを短辺で接続する状態を示す斜視図である。
【図９】従来の、壁際において電気床暖房パネルが短辺で接続して実組施工される状態を示す平面図である。
【図１０】図９におけるＡ−Ａ矢視図である。（図９におけるＢ−Ｂ矢視図も兼ねる。）
【符号の説明】
【００４８】
１  短辺
３  プラグ（第１のコネクタ）
３ａ  プラグ収容凹所（第１コネクタ収容凹所）
４  ソケット（第２のコネクタ）
４ａ  ソケット収納凹所（第２コネクタ収容凹所）
５  パネル
５Ａ  パネル
５Ｂ  パネル
５Ｃ  パネル
５Ｄ  パネル
６  長辺
６ａ  長辺側面
６ｂ  長辺側面
７  凸部
８  凹部
１０  電気床暖房パネル
１１  パネル本体
１２  拡張部
１３  一部分
１５  接続端子
１６  配線コード
Ｓ  幅
Ｕ  深さ
【図１】
2006234234.tif 000003
【図２】
2006234234.tif 000004
【図３】
2006234234.tif 000005
【図４】
2006234234.tif 000006
【図５】
2006234234.tif 000007
【図６】
2006234234.tif 000008
【図７】
2006234234.tif 000009
【図８】
2006234234.tif 000010
【図９】
2006234234.tif 000011
【図１０】
2006234234.tif 000012